(57)【要約】      （修正有）【課題】ネジの緩み止めは、過去多くの発明が成され、使用の簡便さ、廉価さ、量産性に付いて常に追及されて来たが、更に進歩させる事【解決手段】オネジとメネジを螺合する前か、螺合する時か、螺合してから、ねじの締め付け方向と同じ巻き方向のコイル状のつる巻きバネを、オネジかメネジの外周に、ネジの締め付け方向に逆行して、つる巻きバネの先端部から巻き付け、その後、つる巻きバネの後端部を部材に固定するか、予めつる巻きバネの後端部を部材に固定した構造に依る、ネジの緩み止め【選択図】図５
2018146105.tif 000002
【特許請求の範囲】
【請求項１】
オネジとメネジを螺合する前か、螺合する時か、螺合してから、ねじの締め付け方向と同じ巻き方向のコイル状のつる巻きバネを、オネジかメネジの外周に、ネジの締め付け方向に逆行して、つる巻きバネの先端部から巻き付け、その後、つる巻きバネの後端部を部材に固定するか、予めつる巻きバネの後端部を部材に固定した構造の、ネジの緩み止め
【発明の詳細な説明】
【発明の詳細な説明】
【技術分野】
【０００１】  本発明は、建築や機械の工作物の部品等の締結には、ネジに拠る事が不可欠で有り、常に新しい信頼性を求められて居る、緩み止め方法に関するもの
【背景技術】
【０００２】  従来の方法は、主としてネジ山の法面を何らかの方法に依り加圧しオネジとメネジを圧接する事に依り緩みを止めてきたが、本発明は、つる巻きバネに依る巻き締めクラッチの効果を期待する物で、新しい発想のものである
【先行技術文献】
【特許文献】
【０００３】
【特許文献１】特開  ２０１６−９９０２  ゆるみ止めナット
【特許文献２】特開  ２００８−１３８７９４  締結具
【発明の概要】
【発明が解決しようとする課題】
【０００４】  ネジの緩み止めは、過去多くの発明が成され、使用の簡便さ、廉価さ、量産性に付いて常に追及されて来たが、更に進歩させる事
【課題を解決するための手段】
【０００５】  オネジとメネジを螺合する前か、螺合する時か、螺合してから、ねじの締め付け方向と同じ巻き方向のコイル状のつる巻きバネを、オネジかメネジの外周に、ネジの締め付け方向に逆行して、つる巻きバネの先端部から巻き付け、その後、つる巻きバネの後端部を部材に固定するか、予めつる巻きバネの後端部を部材に固定した構造に依る、ネジの緩み止め
【発明の効果】
【０００６】  ネジを使用する所の全てに適応出来る為使用効果が大きく、従来に無い方法で信頼性が高い
【図面の簡単な説明】
【０００７】
【第一図】
巻きバネクラッチの半断面、説明図
【第二図】
オネジとメネジの螺合時に於ける、つる巻きバネの半断面、説明図
【第三図】
メネジが固定状態での、オネジに巻き付けた、つる巻きバネの半断面、説明図
【第四図】
ボルトとナット状態の、オネジとメネジとの、つる巻きバネの半断面、説明図
【第五図】
メネジの空洞部に設けた、つる巻きバネの半断面、説明図
【第六図】
Ａは第五図の矢印二−二’視、断面、説明図
Ｂは第五図の矢印ホ−ホ’視、断面、説明図
【発明を実施するための形態】
【０００８】  本発明の基本的な考え方は、第一図の様な、「巻きバネクラッチ」「巻締めクラッチ」として多用されている
このバネを利用し、オネジとメネジを螺合させた時の、それぞれの実施例は代表的な物で有り、応用した利用が可能である組み合わせを用い、ネジの緩み止めとする
「巻きバネクラッチ」に付いて若干の説明をすると、段付き軸▲１▼に円柱部▲１▼―１と支承軸▲１▼−２を設け支承軸▲１▼−２に駆動輪▲２▼を回転自由に取り付け、止め輪▲３▼により脱落を防止する
駆動輪▲２▼には円筒部▲２▼−１を段付き状態にて設け、円柱部▲１▼―１と円筒部▲２▼−１の接合部をまたぎコイル状のバネを巻きつける（以後このバネの使用状況を理解し易くする為に、つる巻きバネ▲４▼と言い表す）又、バネの巻き方向はネジが一般的に右ネジを使用するため、本発明の趣旨に沿って右巻きとする
つる巻きバネ▲４▼の先端部に曲げ部分▲４▼−１を設けた状態にて、段付き軸▲１▼に適当な負荷をかけ、駆動輪▲２▼を矢印イ側から見て右回りに回転すると、つる巻きバネ▲４▼は巻き方向に押される為、駆動輪▲２▼は空転し動力は伝わらないが、駆動輪▲２▼を左回転するとつる巻きバネ▲４▼は引き伸ばされる方向となり円筒部▲２▼−１に巻き付き動力を伝達する
駆動輪▲２▼を回転している時につる巻きバネ▲４▼の先端部の曲げ部分▲４▼−１を押えると、つる巻きバネ▲４▼は巻き方向に押される為、動力は伝わらない
このことは、本発明の中でメネジ▲８▼とオネジ▲９▼の螺合を開放する為に必要となる
【発明の実施例１】
【０００９】  第二図、Ａに於いて、駆動軸▲５▼と被動軸▲６▼にそれぞれ設けたメネジ▲８▼とオネジ▲９▼を螺合する時、第一図同様に駆動軸▲５▼と被動軸▲６▼の接合部を超えて、つる巻きバネ▲４▼を巻きつける
ネジとバネは共に同方向とする為、容易に螺合出来るがネジを開放する為に逆回転をする事は、つる巻きバネ▲４▼が巻きつく為に回す事が出来ない
つる巻きバネ▲４▼の被動軸▲６▼側は通常では引き込まれ巻きつく事に依り固定状態となり、固定されて居ると言える
ここで分かるように駆動軸▲５▼と被動軸▲６▼を取り替えてもメネジ▲８▼とオネジ▲９▼を取り替えても成立する
従って以後、メネジ▲８▼とオネジ▲９▼はネジ部分に限らずその構成材を含み言い表すと共に、つる巻きバネ▲４▼の後端部▲４▼−２の固定先を部材▲７▼と総称する
第二図、Ｂに於いては、つる巻きバネ▲４▼の後端部▲４▼−２を取付け穴▲７▼−１に挿入し固定した物で、働きはＡと同様と成る
従って図では、オネジ▲９▼（▲７▼）（以下同様の表示）と表示する
Ａと同様に、ネジとバネは共に同方向とする為、容易に螺合出来るがネジを開放する為に逆回転をする事は、つる巻きバネ▲４▼が巻きつく為に回す事が出来ない
【００１０】  Ａ，Ｂを含め、以後の実施例に於いても、メネジ▲８▼とオネジ▲９▼の螺合を開放する為には、つる巻きバネ▲４▼の先端部▲４▼―３を何らかの方法にてバネの巻き方向に押し、つる巻きバネ▲４▼を緩め開放するか、後端部▲４▼−２を取付け穴▲７▼−１から開放する事に依り可能となる
又、つる巻きバネ▲４▼の後端部▲４▼−２を、部材▲７▼の穴▲７▼‐１に固定する固定方法や形状は特定した物では無い
同様に、バネの先端部の形状、線径、巻径、巻数、ピッチ等は一般的設計の範疇にあり、ここでは詳細な説明は省略する
【発明の実施例２】
【００１１】  第三図Ａ、は第二図のメネジ▲８▼が固定化された（溶接ナット、バーリング、等）物に対して、オネジ▲９▼を取り付ける物で、ここではつる巻きバネ▲４▼をオネジ▲９▼に巻きつけた場合を図示している
メネジ▲８▼がつる巻きバネ▲４▼の後端部▲４▼−２を取り付ける部材▲７▼と成る為、ここではメネジ▲８▼（▲７▼）と表示（以下同様の表示）している
同図、Ｂに於いては、メネジ▲８▼に空洞部▲１１▼を設け空洞部▲１１▼とメネジの隣接付近に、つる巻きバネ▲４▼の後端部▲４▼−２を取り付け、空洞部▲１１▼の入り口側につる巻きバネ▲４▼の先端部▲４▼―３を配置し、つる巻きバネ▲４▼の先端部▲４▼―３側からオネジ▲９▼を螺合させ、オネジ▲９▼の円柱部▲９▼−２につる巻きバネ▲４▼を巻きつけて使用する
つまり、つる巻きバネ▲４▼の後端部▲４▼−２を、予め固定する事と成る
【発明の実施例３】
【００１２】  第四図Ａでは、物品の締結に最も多用されるボルト・ナット形状について記載する
オネジ▲９▼（図では六角ボルト形状としている）の頭部に、つる巻きバネ▲４▼を巻きつける為の、円柱状外周溝となる頭部円柱▲９▼‐１に、つるまきバネ▲４▼の先端部▲４▼―３から巻きつけ、後端部▲４▼−２を部材▲７▼に取り付ける
メネジ▲８▼（図では六角ナット形状としている）の外周に、つる巻きバネ▲４▼を巻きつける為の、円筒状外周溝▲８▼−１を設け、オネジ▲９▼と同様につる巻きバネ▲４▼を取り付け後端部▲４▼−２を部材▲７▼に取り付ける
このオネジ▲９▼の頭部やメネジ▲８▼の外周が多角形の場合、つる巻きバネ▲４▼の巻きつき作用が出来れば良いので、外周溝の一部に平面を含む事も出来るし必ずしも溝状でなくとも良い
【発明の実施例４】
【００１３】  第四図Ｂはメネジ▲８▼が貫通穴で有る場合の方法であって、この方法では、つる巻きバネ▲４▼を後から取り付ける事が出来る
メネジ▲８▼に物品▲１３▼を締結させる為でメネジ▲８▼に空洞部▲１１▼を設け空洞部▲１１▼とメネジの隣接付近に、つる巻きバネ▲４▼の先端部▲４▼−３を配置し、オネジ▲９▼の円柱部▲１１▼（オネジのネジ部分でも良い）に、つるまきバネ▲４▼の先端部▲４▼−３から巻きつける様に配置し、後端部▲４▼−２を部材▲７▼に取り付ける
この場合のネジの開放は、円筒状の工具▲１４▼等により補助できる
切欠き大▲１４▼−２はつる巻きバネ▲４▼の後端部▲４▼−２を逃がし、切欠き小▲１４▼−１で、つる巻きバネ▲４▼の先端部▲４▼−３を、巻き方向に押して補助しながらオネジ▲９▼を抜き取れるし、逆に回しオネジ▲９▼を螺合する時の補助も出来る
【発明の実施例５】
【００１４】  第五図と第六図はナットとして単独構成した場合の物で、第五図に於いて、メネジ▲８▼の外周に円筒部▲８▼−１（特に設ける必要は無いが説明の都合上記載）を設け、切欠き穴▲１２▼を明け、この穴を通し、つる巻きバネ▲４▼の後端部▲４▼−２を通し、取り付けメネジ▲８▼（▲７▼）の穴▲７▼−１に取り付ける
つる巻きバネ▲４▼はメネジ▲８▼に設けた空洞部▲１１▼に於いて、先端部▲４▼−３がメネジ▲８▼の終端▲８▼−２の延長上に配置し、矢印ハ方向からオネジ▲９▼を螺合する時、つる巻きバネ▲４▼の先端部▲４▼−３がオネジ▲９▼の谷溝に誘導される様に構成し、オネジ▲９▼につる巻きバネ▲４▼が巻きついた後で、メネジ▲８▼とオネジ▲９▼の螺合が終了し、つる巻きバネ▲４▼に依り緩み止めが働く
前記迄と同様に、ネジを緩める時は、つる巻きバネ▲４▼の後端部▲４▼−２を固定から外すと其の侭でもメネジ▲８▼は角α分緩められる
但し、此の侭ではメネジ▲８▼は完全に取り外しは出来ない為、つる巻きバネ▲４▼の後端部▲４▼−２を固定から外して、メネジ▲８▼を緩める時、角β以内にメネジ▲８▼の終端▲８▼−２等に依り、先端部▲４▼−３を押し戻すことに依り螺合を開放出来、角αは角βより大きい
つる巻きバネ▲４▼の先端部▲４▼−３が、オネジ▲９▼の谷溝に誘導される様に構成する方法や、メネジ▲８▼の終端▲８▼−２等に依り、つる巻きバネ▲４▼の先端部▲４▼−３を押す方法は、一般的な設計の範疇といえる
【符号の説明】
【００１５】▲１▼    段付軸                ▲２▼    駆動輪
▲３▼    止め輪                ▲４▼    つる巻きバネ
▲５▼    駆動軸                ▲６▼    被動軸
▲７▼    部材                  ▲８▼    メネジ
▲９▼    オネジ                ▲１０▼  ワッシャ
▲１１▼  空洞部                ▲１２▼  切欠き部
2018146105.tif 000003
2018146105.tif 000004
2018146105.tif 000005
【手続補正書】
【提出日】平成29年6月12日(2017.6.12)
【手続補正１】
【補正対象書類名】明細書
【補正対象項目名】全文
【補正方法】変更
【補正の内容】
【発明の詳細な説明】
【発明の詳細な説明】
【技術分野】
【０００１】  本発明は、建築や機械の工作物の部品等の締結には、ネジに拠る事が不可欠で有り、常に新しい信頼性を求められて居る、緩み止め方法に関するもの
【背景技術】
【０００２】  従来の方法は、主としてネジ山の法面を何らかの方法に依り加圧しオネジとメネジを圧接する事に依り緩みを止めてきたが、本発明は、つる巻きバネに依る巻き締めクラッチの効果を期待する物で、新しい発想のものである
【先行技術文献】
【特許文献】
【０００３】
【特許文献１】特開  ２０１６−９９０２  ゆるみ止めナット
【特許文献２】特開  ２００８−１３８７９４  締結具
【発明の概要】
【発明が解決しようとする課題】
【０００４】  ネジの緩み止めは、過去多くの発明が成され、使用の簡便さ、廉価さ、量産性に付いて常に追及されて来たが、更に進歩させる事
【課題を解決するための手段】
【０００５】  オネジとメネジを螺合する前か、螺合する時か、螺合してから、ねじの締め付け方向と同じ巻き方向のコイル状のつる巻きバネを、オネジかメネジの外周に、ネジの締め付け方向に逆行して、つる巻きバネの先端部から巻き付け、その後、つる巻きバネの後端部を部材に固定するか、予めつる巻きバネの後端部を部材に固定した構造に依る、ネジの緩み止め
【発明の効果】
【０００６】  ネジを使用する所の全てに適応出来る為使用効果が大きく、従来に無い方法で信頼性が高い
【図面の簡単な説明】
【０００７】
【図１】  巻きバネクラッチの半断面、説明図
【図２】  オネジとメネジの螺合時に於ける、つる巻きバネの半断面、説明図
【図３】  メネジが固定状態での、オネジに巻き付けた、つる巻きバネの半断面、説明図
【図４】  ボルトとナット状態の、オネジとメネジとの、つる巻きバネの半断面、説明図
【図５】  メネジの空洞部に設けた、つる巻きバネの半断面、説明図
【図６】  Ａは第５図の矢印二−二’視、断面、説明図  Ｂは第５図の矢印ホ−ホ’視、断面、説明図
【発明を実施するための形態】
【０００８】  本発明の基本的な考え方は、第１図の様な、「巻きバネクラッチ」「巻締めクラッチ」として多用されている
このバネを利用し、オネジとメネジを螺合させた時の、それぞれの実施例は代表的な物で有り、応用した利用が可能である組み合わせを用い、ネジの緩み止めとする
「巻きバネクラッチ」に付いて若干の説明をすると、段付き軸▲１▼に円柱部▲１▼−１と支承軸▲１▼−２を設け支承軸▲１▼−２に駆動輪▲２▼を回転自由に取り付け、止め輪▲３▼により脱落を防止する
駆動輪▲２▼には円筒部▲２▼−１を段付き状態にて設け、円柱部▲１▼−１と円筒部▲２▼−１の接合部をまたぎコイル状のバネを巻きつける（以後このバネの使用状況を理解し易くする為に、つる巻きバネ▲４▼と言い表す）又、バネの巻き方向はネジが一般的に右ネジを使用するため、本発明の趣旨に沿って右巻きとする
つる巻きバネ▲４▼の先端部に曲げ部分▲４▼−１を設けた状態にて、段付き軸▲１▼に適当な負荷をかけ、駆動輪▲２▼を矢印イ側から見て右回りに回転すると、つる巻きバネ▲４▼は巻き方向に押される為、駆動輪▲２▼は空転し動力は伝わらないが、駆動輪▲２▼を左回転するとつる巻きバネ▲４▼は引き伸ばされる方向となり円筒部▲２▼−１に巻き付き動力を伝達する
駆動輪▲２▼を回転している時につる巻きバネ▲４▼の先端部の曲げ部分▲４▼−１を押えると、つる巻きバネ▲４▼は巻き方向に押される為、動力は伝わらない
このことは、本発明の中でメネジ▲８▼とオネジ▲９▼の螺合を開放する為に必要となる
【発明の実施例１】
【０００９】  第２図、Ａに於いて、駆動軸▲５▼と被動軸▲６▼にそれぞれ設けたメネジ▲８▼とオネジ▲９▼を螺合する時、第１図同様に駆動軸▲５▼と被動軸▲６▼の接合部を超えて、つる巻きバネ▲４▼を巻きつける
ネジとバネは共に同方向とする為、容易に螺合出来るがネジを開放する為に逆回転をする事は、つる巻きバネ▲４▼が巻きつく為に回す事が出来ない
つる巻きバネ▲４▼の被動軸▲６▼側は通常では引き込まれ巻きつく事に依り固定状態となり、固定されて居ると言える
ここで分かるように駆動軸▲５▼と被動軸▲６▼を取り替えてもメネジ▲８▼とオネジ▲９▼を取り替えても成立する
従って以後、メネジ▲８▼とオネジ▲９▼はネジ部分に限らずその構成材を含み言い表すと共に、つる巻きバネ▲４▼の後端部▲４▼−２の固定先を部材▲７▼と総称する
第２図、Ｂに於いては、つる巻きバネ▲４▼の後端部▲４▼−２を取付け穴▲７▼−１に挿入し固定した物で、働きはＡと同様と成る
従って図では、オネジ▲９▼（▲７▼）（以下同様の表示）と表示する
Ａと同様に、ネジとバネは共に同方向とする為、容易に螺合出来るがネジを開放する為に逆回転をする事は、つる巻きバネ▲４▼が巻きつく為に回す事が出来ない
【００１０】  Ａ，Ｂを含め、以後の実施例に於いても、メネジ▲８▼とオネジ▲９▼の螺合を開放する為には、つる巻きバネ▲４▼の先端部▲４▼−３を何らかの方法にてバネの巻き方向に押し、つる巻きバネ▲４▼を緩め開放するか、後端部▲４▼−２を取付け穴▲７▼−１から開放する事に依り可能となる
又、つる巻きバネ▲４▼の後端部▲４▼−２を、部材▲７▼の穴▲７▼−１に固定する固定方法や形状は特定した物では無い
同様に、バネの先端部の形状、線径、巻径、巻数、ピッチ等は一般的設計の範疇にあり、ここでは詳細な説明は省略する
【発明の実施例２】
【００１１】  第３図Ａ、は第２図のメネジ▲８▼が固定化された（溶接ナット、バーリング、等）物に対して、オネジ▲９▼を取り付ける物で、ここではつる巻きバネ▲４▼をオネジ▲９▼に巻きつけた場合を図示している
メネジ▲８▼がつる巻きバネ▲４▼の後端部▲４▼−２を取り付ける部材▲７▼と成る為、ここではメネジ▲８▼（▲７▼）と表示（以下同様の表示）している
同図、Ｂに於いては、メネジ▲８▼に空洞部▲１１▼を設け空洞部▲１１▼とメネジの隣接付近に、つる巻きバネ▲４▼の後端部▲４▼−２を取り付け、空洞部▲１１▼の入り口側につる巻きバネ▲４▼の先端部▲４▼−３を配置し、つる巻きバネ▲４▼の先端部▲４▼−３側からオネジ▲９▼を螺合させ、オネジ▲９▼の円柱部▲９▼−２につる巻きバネ▲４▼を巻きつけて使用する
つまり、つる巻きバネ▲４▼の後端部▲４▼−２を、予め固定する事と成る
【発明の実施例３】
【００１２】  第４図Ａでは、物品の締結に最も多用されるボルト・ナット形状について記載する
オネジ▲９▼（図では六角ボルト形状としている）の頭部に、つる巻きバネ▲４▼を巻きつける為の、円柱状外周溝となる頭部円柱▲９▼・１に、つるまきバネ▲４▼の先端部▲４▼−３から巻きつけ、後端部▲４▼−２を部材▲７▼に取り付ける
メネジ▲８▼（図では六角ナット形状としている）の外周に、つる巻きバネ▲４▼を巻きつける為の、円筒状外周溝▲８▼−１を設け、オネジ▲９▼と同様につる巻きバネ▲４▼を取り付け後端部▲４▼−２を部材▲７▼に取り付ける
このオネジ▲９▼の頭部やメネジ▲８▼の外周が多角形の場合、つる巻きバネ▲４▼の巻きつき作用が出来れば良いので、外周溝の一部に平面を含む事も出来るし必ずしも溝状でなくとも良い
【発明の実施例４】
【００１３】  第４図Ｂはメネジ▲８▼が貫通穴で有る場合の方法であって、この方法では、つる巻きバネ▲４▼を後から取り付ける事が出来る
メネジ▲８▼に物品▲１３▼を締結させる為でメネジ▲８▼に空洞部▲１１▼を設け空洞部▲１１▼とメネジの隣接付近に、つる巻きバネ▲４▼の先端部▲４▼−３を配置し、オネジ▲９▼の円柱部▲１１▼（オネジのネジ部分でも良い）に、つるまきバネ▲４▼の先端部▲４▼−３から巻きつける様に配置し、後端部▲４▼−２を部材▲７▼に取り付ける
この場合のネジの開放は、円筒状の工具▲１４▼等により補助できる
切欠き大▲１４▼−２はつる巻きバネ▲４▼の後端部▲４▼−２を逃がし、切欠き小▲１４▼−１で、つる巻きバネ▲４▼の先端部▲４▼−３を、巻き方向に押して補助しながらオネジ▲９▼を抜き取れるし、逆に回しオネジ▲９▼を螺合する時の補助も出来る
【発明の実施例５】
【００１４】  第５図と第６図はナットとして単独構成した場合の物で、第５図に於いて、メネジ▲８▼の外周に円筒部▲８▼−１（特に設ける必要は無いが説明の都合上記載）を設け、切欠き穴▲１２▼を明け、この穴を通し、つる巻きバネ▲４▼の後端部▲４▼−２を通し、取り付けメネジ▲８▼（▲７▼）の穴▲７▼−１に取り付ける
つる巻きバネ▲４▼はメネジ▲８▼に設けた空洞部▲１１▼に於いて、先端部▲４▼−３がメネジ▲８▼の終端▲８▼−２の延長上に配置し、矢印ハ方向からオネジ▲９▼を螺合する時、つる巻きバネ▲４▼の先端部▲４▼−３がオネジ▲９▼の谷溝に誘導される様に構成し、オネジ▲９▼につる巻きバネ▲４▼が巻きついた後で、メネジ▲８▼とオネジ▲９▼の螺合が終了し、つる巻きバネ▲４▼に依り緩み止めが働く
前記迄と同様に、ネジを緩める時は、つる巻きバネ▲４▼の後端部▲４▼−２を固定から外すと其の侭でもメネジ▲８▼は角α分緩められる
但し、此の侭ではメネジ▲８▼は完全に取り外しは出来ない為、つる巻きバネ▲４▼の後端部▲４▼−２を固定から外して、メネジ▲８▼を緩める時、角β以内にメネジ▲８▼の終端▲８▼−２等に依り、先端部▲４▼−３を押し戻すことに依り螺合を開放出来、角αは角βより大きい
つる巻きバネ▲４▼の先端部▲４▼−３が、オネジ▲９▼の谷溝に誘導される様に構成する方法や、メネジ▲８▼の終端▲８▼−２等に依り、つる巻きバネ▲４▼の先端部▲４▼−３を押す方法は、一般的な設計の範疇といえる
【符号の説明】
【００１５】  ▲１▼    段付軸                  ▲２▼    駆動輪
▲３▼    止め輪                  ▲４▼    つる巻きバネ
▲５▼    駆動軸                  ▲６▼    被動軸
▲７▼    部材                    ▲８▼    メネジ
▲９▼    オネジ                ▲１０▼    ワッシャ
▲１１▼    空洞部                ▲１２▼    切欠き部
【手続補正２】
【補正対象書類名】図面
【補正対象項目名】全図
【補正方法】変更
【補正の内容】
【図１】
2018146105.tif 000006
【図２】
2018146105.tif 000007
【図３】
2018146105.tif 000008
【図４】
2018146105.tif 000009
【図５】
2018146105.tif 000010
【図６】
2018146105.tif 000011
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
オネジとメネジを螺合し、ネジと同じ巻き方向のコイル状のつる巻きバネを、いずれかのネジの構成材の外周に、該当構成材のネジを緩める方向に向け、つる巻きバネの先端部から巻き付け、つる巻きバネの後端部を部材に予め取り付け・固定する事を含め、つる巻きバネの後端部を部材に取り付け・固定した構造と成るネジの緩み止めと、ネジの構成材と、部材となるネジの構成材と、つる巻きバネ